(57)【要約】【課題】複数の筐体の表面にそれぞれ設けられた複数のカバーの接合部を、簡単かつ効果的に防滴した光学機器を提供する。【解決手段】  第１の筐体２１と、第１の筐体２１に接合する第２の筐体３１と、第１の筐体２１及び第２の筐体３１の接合部の外表面側にそれぞれ設けられた溝部２３，３３と、溝部２３，３３に沿って少なくとも一部が収容されるとともに、第１の筐体２１及び第２の筐体３１が接合する際に一部が外表面側に露出する弾性部材４０と、第１の筐体２１の外表面を被覆する第１のカバー２２と、第１のカバー２２に接合するとともに、第２の筐体３１の外表面を被覆する第２のカバーとを備え、第１のカバー２２及び第２のカバー３２の接合部を溝部２３，３３に収容された弾性部材４０に沿って配置するとともに、弾性部材４０を接合部に圧接する。【選択図】図２
2005274838.tif 000002
【特許請求の範囲】
【請求項１】
第１の筐体と、
前記第１の筐体に接合する第２の筐体と、
前記第１の筐体及び前記第２の筐体の接合部の外表面側にそれぞれ設けられた溝部と、
前記溝部に沿って少なくとも一部が収容されるとともに、前記第１の筐体及び前記第２の筐体が接合する際に一部が外表面側に露出する弾性部材と、
前記第１の筐体の外表面を被覆する第１のカバーと、
前記第１のカバーに接合するとともに、前記第２の筐体の外表面を被覆する第２のカバーとを備え、
前記第１のカバー及び前記第２のカバーの接合部を前記溝部に収容された前記弾性部材に沿って配置するとともに、前記弾性部材を前記接合部に圧接したことを特徴とする光学機器の防水構造。
【請求項２】
前記溝部は、底部が斜面であり、
前記第１の筐体及び前記第２の筐体を接合することによって、前記斜面によって前記弾性部材を前記外表面側に押し出すことを特徴とする請求項１に記載の光学機器の防水構造。
【請求項３】
前記斜面は、前記第１の筐体に設けられ、前記第２の筐体の前記溝部に進入可能に突出していることを特徴とする請求項２に記載の光学機器の防水構造。
【発明の詳細な説明】
【技術分野】
【０００１】
本発明は、光学機器に係り、特にその防水構造に関するものである。
【背景技術】
【０００２】
例えば、デジタルスチルカメラ等の光学機器は、必要に応じて、外部からの水等の浸入を防止する防水処理（防滴処理とも称される。）が施される。また、このような防水処理をすることによって、防塵効果も得ることができる。
例えば、特許文献１は、防水カメラのハウジングと、その裏蓋との結合部に、ゴム製のパッキンを挿入することを記載している。
また、特許文献２は、カメラ本体の開口部と、この開口部を塞ぐ裏蓋との結合部に、薄板状のゴム製パッキンを配置するとともに、開口部の周縁に突起を形成し、この突起によってパッキンを押圧することを記載している。
【特許文献１】特開平７−５５５２号公報
【特許文献２】特開平９−３２５３９６号公報
【発明の開示】
【発明が解決しようとする課題】
【０００３】
従来の防水（防滴）構造を、光学機器の外装部品（ケース）に適用することを考えると、光学機器のケースは、外観や質感を向上して高級感を得るため、例えば樹脂製のモールド成型品等の筐体の表面側に、例えば金属製等のカバーを備えることがある。この場合、複数部品を接合してなる筐体の間に、Ｏリング等のパッキンを挿入しても、カバー間の接合部から水が浸入し、カバーの内面と筐体の外面との間に浸入してしまう。また、カバーは、通常筐体に対して薄肉に形成されるので、カバー間の接合部に、パッキンを設けることは困難である。
【０００４】
本発明の課題は、複数部品を接合して構成された筐体の表面に複数部品を接合して構成されるカバーを設ける際に、その接合部を、簡単かつ効果的に防水した光学機器を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
【０００６】
請求項１の発明は、第１の筐体（２１）と、前記第１の筐体（２１）に接合する第２の筐体（３１）と、前記第１の筐体（２１）及び前記第２の筐体（３１）の接合部の外表面側にそれぞれ設けられた溝部（２３，３３）と、前記溝部（２３，３３）に沿って少なくとも一部が収容されるとともに、前記第１の筐体（２１）及び前記第２の筐体（３１）が接合する際に一部が外表面側に露出する弾性部材（４０）と、前記第１の筐体（２１）の外表面を被覆する第１のカバー（２２）と、前記第１のカバー（２２）に接合するとともに、前記第２の筐体（３１）の外表面を被覆する第２のカバー（３２）とを備え、前記第１のカバー（２２）及び前記第２のカバー（３２）の接合部を前記溝部（２３，３３）に収容された前記弾性部材（４０）に沿って配置するとともに、前記弾性部材（４０）を前記接合部に圧接したことを特徴とする光学機器の防水構造である。
【０００７】
請求項２の発明は、前記溝部（２３，３３）は、底部が斜面（２３ｂ，３３ｂ，２５ａ）であり、前記第１の筐体（２１）及び前記第２の筐体（３１）を結合することによって、前記斜面（２３ｂ，３３ｂ，２５ａ）によって前記弾性部材（４０）を前記外表面側に押し出すことを特徴とする請求項１に記載の光学機器の防水構造である。
【０００８】
請求項３の発明は、前記斜面（２５ａ）は、前記第１の筐体（２１）に設けられ、前記第２の筐体（３１）の前記溝部（３３）に進入可能に突出していることを特徴とする請求項２に記載の光学機器の防水構造である。
【発明の効果】
【０００９】
本発明によれば、弾性部材は、第１の筐体及び第２の筐体を接合することによって、第１のカバー及び第２のカバーの接合部に圧接されるから、複数の筐体の表面に設けられた複数のカバーの接合部を、簡単かつ効果的に防滴することができる。
【発明を実施するための最良の形態】
【００１０】
本発明は、第１の筐体と、第１の筐体に接合する第２の筐体と、第１の筐体及び第２の筐体の接合部の外表面側にそれぞれ設けられた溝部と、溝部に沿って一部が収容され、第１の筐体及び第２の筐体が接合する際に一部が外表面側に露出するＯリングと、第１の筐体の外表面を被覆する第１の金属製カバーと、第１の金属製カバーに接合するとともに、第２の筐体の外表面を被覆する第２の金属製カバーとを備え、第１の金属製カバー及び第２の金属製カバーの接合部を溝部に収容されたＯリングに沿って配置するとともに、Ｏリングをこの接合部に圧接した光学機器の防水構造によって前記課題を解決する。
【実施例１】
【００１１】
以下、図面等を参照して、本発明の実施例をあげて、さらに詳しく説明する。
図１は、本発明を適用したカメラの実施例１のケースの外観斜視図である。
図示しない内部機器を収容するケース１０は、２つ割りに分割されたケース部材２０と、ケース部材３０とを結合して構成され、これらの接合部にはＯリング４０（図１では図示しない。図２を参照。）が備えられる。
ケース部材２０と、ケース部材３０とは、それぞれ一方側が開口した略矩形の容器状に形成され、これらは、その開口縁部の端面どうしを、突き合わせて結合される。
【００１２】
図２は、図１のケースにおける、ケース部材２０と、ケース部材３０との接合部の拡大断面図である。なお、図２（ａ）は、ケース１０を組み立てる前、図２（ｂ）は、組み立てた後の状態をそれぞれ示している。また、図中上側は、カメラの内部側、下側は、カメラの外部側をそれぞれ示している。
【００１３】
ケース部材２０は、樹脂製のモールド成型品である筐体２１と、その外面を被覆する金属製カバー２２とを有する。同様に、ケース部材３０は、樹脂製のモールド成型品である筐体３１と、その外面に沿って形成された金属製カバー３２とを有する。
筐体２１，３１は、それぞれ金属製カバー２２，３２に対して肉厚に形成され、例えば、予め準備された金属製カバー２２，３２の内面側に、樹脂材料を注入し、硬化させて形成されている。
金属製カバー２２，３２は、例えば、マグネシウム合金、アルミニウム合金等の金属板を、プレス加工して形成されている。
【００１４】
また、筐体２１，３１の縁部の端面２１ａ，３１ａの位置は、それぞれ対応する金属製カバー２２，３２の縁部の端面２２ａ，３２ａの位置と、筐体２０，３０の結合方向（図の横方向）において、略一致している。
筐体２１，３１の端面２１ａ，３１ａは、それぞれ各筐体２１，３１の外表面側を凹ませて形成され、Ｏリング４０を収容する溝部２３，３３が形成されている。
【００１５】
溝部２３，３３の断面形状は、それぞれ溝底面２３ａ，３３ａと、側壁面２３ｂ，３３ｂとを有する台形状であり、金属製カバー２２，３２の内面２２ｂ，３２ｂ側が開放された形状となっている。
【００１６】
金属製カバー２２，３２の内面２２ｂ，３２ｂに対向する、溝部２３，３３の側壁面２３ｂ，３３ｂは、内面２２ｂ，３２ｂに対してそれぞれ斜めに形成されている。具体的には、側壁面２３ｂ，３３ｂは、内面２２ｂ，３２ｂにそれぞれ平行な状態を基準とすると、それぞれ反対側のケース部材３０，２０の方向に、例えば、約４５度傾けて形成されている。
【００１７】
溝部２３，３３の端面２１ａ，３１ａからの深さの和は、Ｏリング４０の外力を加えていないときの直径よりも小さく設定される。また、溝底面２３ａ，３３ａは、金属製カバー２２，３２の内面２２ｂ，３２ｂからの長さが、Ｏリング４０の外力を加えていないときの直径よりも小さく設定される。
【００１８】
ケース部材２０側の溝部２３内にＯリング４０を挿入し（図２（ａ）を参照。）、ケース部材２０とケース部材３０とを接合すると、Ｏリング４０は、溝部２３，３３の溝底面２３ａ，３３ａの間に挟まれて押圧されるとともに、斜めに配置された側壁面２３ｂ，３３ｂによって、金属製カバー２２，３２の内面２２ｂ，３２ｂ側に圧接され、弾性変形をする（図２（ｂ）を参照。）。
【００１９】
この弾性変形によって、Ｏリング４０は、筐体２１，３１及び金属製カバー２２，３２にそれぞれ圧接し、これらの圧接箇所によって接合部が防滴される。特に、金属製カバー２２，３２に対するＯリング４０の圧接箇所は、各金属製カバー２２，３２の結合部に沿って設けられるので、外部から金属製カバー２２，３２の内側への浸水が防止される。具体的には、実施例１では、ＪＩＳ  Ｃ  ０９２０規格の４級相当の防滴効果を得ることができる。
【００２０】
以上説明したように、実施例１によれば、１本のＯリング４０によって、筐体２１，３１間と、金属製カバー２２，３２間とを、容易に防水することができる。
【実施例２】
【００２１】
次に、本発明を適用したカメラの実施例２について説明する。なお、上述した実施例１と同様の箇所については、同じ符号を付して説明を省略する。
図３は、実施例２のカメラのケースにおける、ケース部材２０と、ケース部材３０との結合部の拡大断面図である。
実施例２においては、ケース部材３０側の溝部３３は、その断面を矩形に形成され、斜面２５ａは、ケース部材２０側の突起２５にのみ形成されている。突起２５は、筐体２１の端面２１ａから、ケース部材３０側に突き出して形成されており、ケース部材２０とケース部材３０とを接合した状態では、突起２５は、筐体３１側の溝部３３内に挿入される。
【００２２】
ケース部材３０の溝部３３内に、Ｏリング４０を挿入し（図３（ａ）を参照。）、ケース部材２０とケース部材３０とを結合すると、Ｏリング４０は、斜面２５ａによって、溝底面３３ａ及び金属製カバー２２，３２の内面２２ｂ，３２ｂに、それぞれ押圧されることによって、筐体２１，３１及び内面２２ｂ，３２ｂにそれぞれ圧接し（図３（ｂ）を参照。）、これらの圧接箇所において接合部の防滴がなされる。
また、実施例１と同様に、Ｏリング４０は、金属製カバー２２，３２の内面２２ｂ，３２ｂへの圧接箇所が、各金属製カバー２２，３２の結合部に沿って設けられているので、外部から金属製カバー内への浸水が防止される。
【００２３】
以上説明したように、実施例２においても、実施例１と同様に、１本のＯリング４０によって、筐体２１，３１間と、金属製カバー２２，３２間とを、容易に防滴することができる。
さらに、実施例２では、斜面２５ａを有する突起２５を、一方のケース部材２０にのみ形成し、その一部が他のケース部材３０側の溝部３３内に進入するようにしたので、斜面２５ａの高低差を大きくできるから、Ｏリング４０に、実施例１よりも大きな変形を与え、圧接力を向上することができ、防滴効果を向上することができる。
【００２４】
（変形例）
本発明は、以上説明した各実施例に限定されることなく、種々の変形や変更が可能であって、それらも本発明の均等の範囲内である。
（１）  本発明は、デジタルスチルカメラや、他の光学機器に適用することができる。例えば、本発明は、フィルムスチルカメラ、ムービーカメラ、レンズ交換式カメラ用の交換レンズ、閃光発光装置（スピードライト）、双眼鏡、望遠鏡等にも適用することができる。
（２）  各実施例では、ケース１０は、２分割であるが、ケースは、３個以上のケース部材によって構成されるものでもよい。
（３）  各実施例は、円形断面を有するＯリングを、弾性シール部材として用いたが、これに限らず、円形以外の異形断面の弾性シール部材を用いてもよい。例えば、弾性シール部材は、Ｈ型断面等を有するものであってもよい。
【図面の簡単な説明】
【００２５】
【図１】本発明を適用したカメラの実施例１のケースの外観斜視図である。
【図２】図１のケースのケース部材の接合部の拡大断面図である。
【図３】本発明を適用したカメラの実施例２のケースにおけるケース部材の接合部の拡大断面図である。
【符号の説明】
【００２６】
１０            ケース
２０，３０      ケース部材
２１，３１      筐体
２１ａ，３１ａ  筐体端面
２２，３２      金属製カバー
２２ａ，３２ａ  カバー端面
２２ｂ，３２ｂ  カバー内面
２３，３３      溝部
２３ａ，３３ａ  溝底面
２３ｂ，３３ｂ  側壁面
２５            突起
２５ｃ          斜面
４０            Ｏリング
【図１】
2005274838.tif 000003
【図２】
2005274838.tif 000004
【図３】
2005274838.tif 000005